(57)【要約】  エレベータシステムは、読取装置（８）、呼び登録部（１４）、幅設定部（１２）、制御部（１５）を備える。読取装置（８）は、エレベータの乗場（４）に設けられる。読取装置（８）は、情報記録媒体が有する識別情報を読み取る。呼び登録部（１４）は、呼びを登録することができる人を、読取装置（８）が識別情報を読み取り可能な情報記録媒体の所有者に制限する。幅設定部（１２）は、読取装置（８）によって識別情報が読み取られた情報記録媒体の個数に基づいて、エレベータのドアの開放幅を設定する。制御部（１５）は、エレベータのかご（２）が乗場に停止した際に、幅設定部（１２）によって設定された開放幅に基づいて、ドアを開放させる。
2014016906.tif 000002
【特許請求の範囲】
【請求項１】
エレベータの乗場に設けられ、情報記録媒体が有する識別情報を読み取る第１読取装置と、
呼びを登録することができる人を、前記第１読取装置が識別情報を読み取り可能な情報記録媒体の所有者に制限するための呼び登録部と、
前記第１読取装置によって識別情報が読み取られた情報記録媒体の個数に基づいて、エレベータのドアの開放幅を設定する幅設定部と、
エレベータのかごが前記乗場に停止した際に、前記幅設定部によって設定された開放幅に基づいて、前記ドアを開放させる制御部と、
を備えたエレベータシステム。
【請求項２】
前記幅設定部は、前記第１読取装置によって識別情報が読み取られた情報記録媒体の個数と前記乗場から登録された呼びの有無とに基づいて、前記ドアの開放幅を設定する請求項１に記載のエレベータシステム。
【請求項３】
前記乗場に設けられ、前記第１読取装置が識別情報を読み取り可能な情報記録媒体を用いて呼び入力が行われると、呼びの登録要求を出力する第１入力装置と、
を更に備え、
前記呼び登録部は、前記第１入力装置からの登録要求に基づいて、呼びを登録する請求項２に記載のエレベータシステム。
【請求項４】
前記かごに設けられ、情報記録媒体が有する識別情報を読み取る第２読取装置と、
を更に備え、
前記幅設定部は、前記第１読取装置によって識別情報が読み取られた情報記録媒体の個数と前記第２読取装置によって識別情報が読み取られた情報記録媒体の個数とに基づいて、前記ドアの開放幅を設定する請求項１に記載のエレベータシステム。
【請求項５】
前記幅設定部は、前記第１読取装置によって識別情報が読み取られた情報記録媒体の個数と、前記乗場から登録された呼びの有無と、前記第２読取装置によって識別情報が読み取られた情報記録媒体の個数と、前記かご内の人が前記乗場に降りるための呼びの有無とに基づいて、前記ドアの開放幅を設定する請求項４に記載のエレベータシステム。
【請求項６】
前記幅設定部は、前記第１読取装置によって識別情報が読み取られた情報記録媒体の個数と、前記乗場から登録された呼びの有無と、前記第２読取装置によって識別情報が読み取られた情報記録媒体の個数と、登録されている行先呼びの個数とに基づいて、前記ドアの開放幅を設定する請求項４に記載のエレベータシステム。
【請求項７】
前記かごに設けられ、前記第２読取装置が識別情報を読み取り可能な情報記録媒体を用いて呼び入力が行われると、呼びの登録要求を出力する第２入力装置と、
を更に備え、
前記呼び登録部は、前記第２入力装置からの登録要求に基づいて、呼びを登録する請求項５又は請求項６に記載のエレベータシステム。
【請求項８】
前記第１読取装置によって識別情報が読み取られた情報記録媒体の個数に基づいて、前記ドアの開放時間を設定する時間設定部と、
を更に備え、
前記制御部は、前記かごが前記乗場に停止した際に、前記幅設定部によって設定された開放幅と前記時間設定部によって設定された開放時間とに基づいて、前記ドアを開放させる請求項１から請求項３の何れか一項に記載のエレベータシステム。
【請求項９】
前記第１読取装置によって識別情報が読み取られた情報記録媒体の個数と前記第２読取装置によって識別情報が読み取られた情報記録媒体の個数とに基づいて、前記ドアの開放時間を設定する時間設定部と、
を更に備え、
前記制御部は、前記かごが前記乗場に停止した際に、前記幅設定部によって設定された開放幅と前記時間設定部によって設定された開放時間とに基づいて、前記ドアを開放させる請求項４から請求項７の何れか一項に記載のエレベータシステム。
【請求項１０】
エレベータのかごに設けられ、情報記録媒体が有する識別情報を読み取る第２読取装置と、
呼びを登録することができる人を、前記第２読取装置が識別情報を読み取り可能な情報記録媒体の所有者に制限するための呼び登録部と、
前記第２読取装置によって識別情報が読み取られた情報記録媒体の個数に基づいて、エレベータのドアの開放幅を設定する幅設定部と、
エレベータのかごが前記乗場に停止した際に、前記幅設定部によって設定された開放幅に基づいて、前記ドアを開放させる制御部と、
を備えたエレベータシステム。
【請求項１１】
前記幅設定部は、前記第２読取装置によって識別情報が読み取られた情報記録媒体の個数と前記乗場から登録された呼びの有無とに基づいて、前記ドアの開放幅を設定する請求項１０に記載のエレベータシステム。
【請求項１２】
前記乗場に設けられ、前記第２読取装置が識別情報を読み取り可能な情報記録媒体を用いて呼び入力が行われると、呼びの登録要求を出力する第１入力装置と、
を更に備え、
前記呼び登録部は、前記第１入力装置からの登録要求に基づいて、呼びを登録する請求項１１に記載のエレベータシステム。
【請求項１３】
前記幅設定部は、前記かごに情報記録媒体が存在しない場合、前記ドアの開放幅を最小値に設定する請求項１０に記載のエレベータシステム。
【請求項１４】
前記第２読取装置によって識別情報が読み取られた情報記録媒体の個数に基づいて、前記ドアの開放時間を設定する時間設定部と、
を更に備え、
前記制御部は、前記かごが前記乗場に停止した際に、前記幅設定部によって設定された開放幅と前記時間設定部によって設定された開放時間とに基づいて、前記ドアを開放させる請求項１０から請求項１３の何れか一項に記載のエレベータシステム。
【請求項１５】
前記時間設定部は、前記かごに情報記録媒体が存在しない場合、前記ドアの開放時間を最小値に設定する請求項１４に記載のエレベータシステム。
【発明の詳細な説明】
【技術分野】
【０００１】
この発明は、エレベータシステムに関するものである。
【背景技術】
【０００２】
特許文献１及び２に、エレベータ装置の従来技術が開示されている。
特許文献１に記載されたエレベータ装置では、乗場にいる利用者の数を検出する。乗場にいる利用者が少ない場合、利用者がかごに乗る際に、エレベータのドアを全開させない。このような制御は、無駄な電力消費を抑えるために行われる。また、上記制御は、運転効率が低下することを防止するために行われる。【０００３】
特許文献２に記載されたエレベータ装置では、防犯運転が行われる。防犯運転では、利用者がかごに乗る際に、エレベータのドアを少ししか開かない。例えば、エレベータのドアは、人が一人しか通過できないように開かれる。
【先行技術文献】
【特許文献】
【０００４】
【特許文献１】日本特公昭６１−９２３３号公報
【特許文献２】日本特公昭６３−３８２１号公報
【発明の概要】
【発明が解決しようとする課題】
【０００５】
一部のエレベータでは、その利用が特定の人に制限されている。このようなエレベータでは、一般の人は基本的にかごに乗ることができない。しかし、エレベータを正規に利用できる人（正規利用者）がかごに乗る場合は、当然のことながらエレベータのドアが開く。このドアが開いた瞬間にかごに乗ってしまえば、正規利用者ではない人でもエレベータを利用できてしまう。【０００６】
特許文献１及び２は、その利用が特定の人に制限されたエレベータを開示していない。
特許文献１に記載されたエレベータ装置では、乗場にいる人が正規利用者か否かを判定することができない。正規利用者ではない人が乗場にいる場合に、エレベータのドアが全開してしまう。【０００７】
特許文献２に記載されたエレベータ装置では、エレベータのドアが、一人分の幅しか開かない。特定の人しか利用できないエレベータは、一般の人が入ることができないビルに設置されることが多い。このようなビルに、特許文献２に記載されたエレベータ装置が備えられると、利便性が大幅に低下してしまう。【０００８】
この発明は、上述のような課題を解決するためになされたもので、その目的は、利便性を損なうことなく、正規利用者ではない人によってエレベータが利用されることを防止することができるエレベータシステムを提供することである。
【課題を解決するための手段】
【０００９】
この発明に係るエレベータシステムは、エレベータの乗場に設けられ、情報記録媒体が有する識別情報を読み取る第１読取装置と、呼びを登録することができる人を、第１読取装置が識別情報を読み取り可能な情報記録媒体の所有者に制限するための呼び登録部と、第１読取装置によって識別情報が読み取られた情報記録媒体の個数に基づいて、エレベータのドアの開放幅を設定する幅設定部と、エレベータのかごが乗場に停止した際に、幅設定部によって設定された開放幅に基づいて、ドアを開放させる制御部と、を備えたものである。【００１０】
また、この発明に係るエレベータシステムは、エレベータのかごに設けられ、情報記録媒体が有する識別情報を読み取る第２読取装置と、呼びを登録することができる人を、第２読取装置が識別情報を読み取り可能な情報記録媒体の所有者に制限するための呼び登録部と、第２読取装置によって識別情報が読み取られた情報記録媒体の個数に基づいて、エレベータのドアの開放幅を設定する幅設定部と、エレベータのかごが乗場に停止した際に、幅設定部によって設定された開放幅に基づいて、ドアを開放させる制御部と、を備えたものである。
【発明の効果】
【００１１】
この発明によれば、利便性を損なうことなく、正規利用者ではない人によってエレベータが利用されることを防止することができる。
【図面の簡単な説明】
【００１２】
【図１】この発明の実施の形態１におけるエレベータシステムを示す構成図である。
【図２】この発明の実施の形態１におけるエレベータシステムの要部を示す構成図である。
【図３】この発明の実施の形態２におけるエレベータシステムを示す構成図である。
【図４】この発明の実施の形態３におけるエレベータシステムを示す構成図である。
【図５】この発明の実施の形態４におけるエレベータシステムを示す構成図である。
【図６】この発明の実施の形態５におけるエレベータシステムの要部を示す構成図である。
【図７】この発明の実施の形態６におけるエレベータシステムを示す構成図である。
【発明を実施するための形態】
【００１３】
添付の図面を参照して、本発明を詳細に説明する。各図では、同一又は相当する部分に、同一の符号を付している。重複する説明は、適宜簡略化或いは省略する。
【００１４】
実施の形態１．
図１はこの発明の実施の形態１におけるエレベータシステムを示す構成図である。図２はこの発明の実施の形態１におけるエレベータシステムの要部を示す構成図である。
制御装置１は、エレベータの運行を制御する。例えば、制御装置１は、駆動装置（図示せず）を制御することにより、かご２を昇降路３内で昇降させる。制御装置１は、エレベータの乗場４の高さに合わせて、かご２を停止させる。
【００１５】
かご２は、かごドア５とドア制御装置６とを備える。かごドア５は、かご出入口を開閉する。ドア制御装置６は、かごドア５の開閉を制御する。
【００１６】
乗場４に、乗場ドア７と読取装置８とが設けられる。乗場ドア７は、乗場出入口を開閉する。乗場４に、乗場ドア７を駆動するための装置は備えられていない。乗場ドア７は、かご２が乗場４に停止している時にかごドア５が開閉すると、かごドア５と共に開閉する。
【００１７】
制御装置１は、かご２を乗場４に停止させると、ドア制御装置６に制御信号を出力する。ドア制御装置６は、受信した制御信号に基づいて、エレベータのドア（かごドア５及び乗場ドア７）を開閉させる。エレベータの利用者は、エレベータのドアが開放している間に、乗場４からかご２に乗ったり、かご２から乗場４に降りたりすることができる。
【００１８】
図１では、ビルの最上階の乗場４を示している。乗場４は、ビルの各階床に備えられる。乗場４をビルの一部の階床にのみ備えても良い。
【００１９】
読取装置８は、読取範囲９に存在するタグ１０から識別情報を読み取る。読取範囲９は、読取装置８がタグ１０から情報を読み取ることができる範囲である。読取範囲９は、例えば、乗場出入口の近傍にあるタグ１０から情報を読み取ることができるように、予め設定される。
【００２０】
タグ１０は、エレベータを利用する人が所有する。タグ１０には、識別情報が予め記憶される。識別情報は、タグ１０（タグ１０の所有者）を識別するための情報である。
【００２１】
読取装置８は、タグ１０が読取範囲９に存在する場合に、そのタグ１０が有する識別情報を無線通信によって読み取る。読取装置８は、タグ１０から識別情報を読み取ると、自機情報と読み取った識別情報とを制御装置１に出力する。自機情報とは、読取装置８を個別に特定するための情報である。制御装置１は、読取装置８から上記情報を受信することにより、どの読取装置８がどのタグ１０から識別情報を読み取ったのかを特定することができる。即ち、制御装置１は、どのタグ１０の所有者がどの乗場４にいるのかを特定することができる。
【００２２】
タグ１０は、識別情報を有する情報記録媒体の一例である。タグ１０の例として、パッシブ型のＩＣタグ、アクティブ型のＩＣタグ、ＲＦタグ等が挙げられる。また、情報記録媒体は、識別情報を有していれば、タグ以外の媒体であっても良い。情報記録媒体は、例えば、携帯電話や専用の端末であっても良い。
【００２３】
図２は制御装置１の構成を示している。制御装置１は、検出部１１、幅設定部１２、記憶部１３、呼び登録部１４、制御部１５を備える。制御装置１は、上述した駆動装置やドア制御装置６、各乗場４の読取装置８に接続される。
【００２４】
検出部１１は、乗場４にいる正規利用者の数を検出する。検出部１１は、乗場４毎に、正規利用者の数を検出する。このエレベータは、その利用が特定の人に制限されている。例えば、エレベータの利用は、タグ１０の所有者に制限される。タグ１０の所有者が、エレベータの正規利用者である。
【００２５】
検出部１１は、読取装置８によって識別情報が読み取られたタグ１０の個数を、乗場４にいる正規利用者の数として検出する。検出部１１は、読取装置８から受信する情報に基づいて、一定の周期で上記検出を行う。
【００２６】
幅設定部１２は、エレベータのドアの開放幅を設定する。エレベータのドアが両開き方式の場合、ドアが開いた時のドアの間隔のことを開放幅という。片開き方式のドアでは、ドアが開いた時のドアと戸当り部との間隔のことを開放幅という。
【００２７】
幅設定部１２は、検出部１１によって検出されたタグ１０の個数に基づいて、上記設定を行う。幅設定部１２が開放幅を設定する上で必要な情報は、記憶部１３に記憶される。記憶部１３に、タグ１０の個数とドアの開放幅との関係が記憶される。
【００２８】
【表１】
2014016906.tif 000003
【００２９】
表１は、記憶部１３に記憶された内容の一例を示している。各項目の具体的な値は、ビルの仕様やエレベータの種類に応じて適宜設定される。
【００３０】
例えば、５階の乗場４に、４人の人がいる場合を考える。この４人のうち、３人がタグ１０を所持しているものとする。即ち、残りの１人はタグ１０を所持していない。
かかる場合、５階の読取装置８により、３つのタグ１０から識別情報が読み取られる。読取装置８は、自機情報と読み取った識別情報とを制御装置１に出力する。検出部１１は、読取装置８から受信した情報に基づいて、５階の乗場４に存在するタグ１０の個数を「３」と検出する。幅設定部１２は、検出部１１が検出した結果に基づいて、５階での開放幅を７５ｃｍと設定する。
【００３１】
呼び登録部１４は、呼びを登録する機能を有する。呼び登録部１４は、乗場４からの情報に基づいて、呼び（乗場呼び又は乗場行先呼び）を登録する。呼び登録部１４は、かご２からの情報に基づいて、呼び（行先呼び）を登録する。
【００３２】
呼び登録部１４は、呼びを登録することができる人を、エレベータの正規利用者に制限するための機能を備える。例えば、呼び登録部１４は、呼びを登録することができる人をタグ１０の所有者に制限する。なお、タグ１０を所持している人は、タグ１０の所有者とみなされる。タグ１０の所有者全員が呼びを登録することができるように予め設定しておいても良い。タグ１０の所有者の一部のみが呼びを登録することができるように予め設定しておいても良い。呼び登録を制限する機能は、呼び登録部１４自体によって実現しても良いし、他の装置を利用して実現しても良い。
【００３３】
制御部１５は、エレベータの運行を制御する。例えば、制御部１５は、呼び登録部１４によって乗場呼びが登録されると、かご２を乗場４に停止させる。かご２が乗場４に停止すると、制御部１５は、ドア制御装置６に制御信号を出力する。これにより、エレベータのドアが開放される。この時、制御部１５は、幅設定部１２によって設定された開放幅に基づいて、制御信号の出力を行う。
【００３４】
上記構成を有するエレベータシステムであれば、乗場４にいる正規利用者の数に応じて、ドアの開放幅を適切に調整することができる。乗場４にいる正規利用者の数が多ければドアは大きく開かれ、利便性が損なわれることはない。乗場４に多くの人がいる場合であっても、正規利用者の数が少なければ、ドアが大きく開放されることはない。正規利用者ではない人によってエレベータが利用されることを、確実に防止することができる。
【００３５】
実施の形態２．
図３はこの発明の実施の形態２におけるエレベータシステムを示す構成図である。
本実施の形態では、乗場４に、入力装置１６が設けられる。その他の構成は、図１及び図２に示す構成と同じである。
【００３６】
入力装置１６は、乗場４で呼びを登録することができる人を、エレベータの正規利用者に制限するために備えられた装置である。入力装置１６は、呼び入力が行われると、呼びの登録要求を制御装置１に出力する。呼び登録部１４は、入力装置１６から呼びの登録要求を受信すると、受信した登録要求に基づいて呼びを登録する。即ち、一般の人は、入力装置１６に対して呼び入力を行うことができない。
【００３７】
呼び入力は、呼びを登録するために利用者が行う操作や動作である。ある一定の状態が継続した際に、呼び入力が行われたと判断しても良い。
呼び入力は、タグ１０を用いて行われる。例えば、入力装置１６は、タグ１０が極近い位置に配置されると、そのタグ１０から識別情報を読み取る。入力装置１６は、識別情報を読み取ると、呼び入力が行われたことを検出する。入力装置１６は、タグ１０から識別情報を読み取る際に、タグ１０から行先階の情報を読み取っても良い。
【００３８】
他の例として、入力装置１６に方向ボタン（或いは、行先ボタン）を備えても良い。入力装置１６は、方向ボタンが単に押されても、呼び入力が行われたことを検出しない。例えば、入力装置１６は、タグ１０から識別情報を読み取った後に方向ボタンが押されると、呼び入力が行われたことを検出する。
【００３９】
幅設定部１２は、例えば、実施の形態１の場合と同様に、検出部１１によって検出されたタグ１０の個数に基づいてドアの開放幅を設定する。
【００４０】
また、幅設定部１２は、検出部１１によって検出されたタグ１０の個数と乗場４から登録された呼びの有無との双方に基づいて、ドアの開放幅を設定しても良い。幅設定部１２が開放幅を設定する上で必要な情報は、記憶部１３に記憶される。
【００４１】
【表２】
2014016906.tif 000004
【００４２】
表２は、記憶部１３に記憶された内容の一例を示している。各項目の具体的な値は、ビルの仕様やエレベータの種類に応じて適宜設定される。
【００４３】
上記構成を有するエレベータ装置であれば、例えば、タグ１０を所持する人が乗場４を横切っただけでは、幅設定部１２による開放幅の設定は行われない。ドアの開放幅を、実際にかご２に乗る人に合わせて適切に設定することができる。
【００４４】
入力装置１６は、呼びを登録することができる人をエレベータの正規利用者に制限するために、必ずしも必要になる装置ではない。
読取装置８を利用しても、上記機能は実現できる。例えば、読取装置８は、タグ１０から識別情報を読み取ると、自機情報と読み取った識別情報とを制御装置１に出力する。また、読取装置８は、同じ識別情報の読み取りを一定時間継続して行うと、呼び入力が行われたことを検出する。かかる構成であれば、入力装置１６を使用せずにタグ１０を用いて呼び入力を行うことができる。
【００４５】
呼び入力は、タグ１０を用いなくても行うことは可能である。例えば、正規利用者は、呼び入力を行うために、タグ１０以外の情報記憶媒体を使用しても良い。また、乗場４に、指紋認証装置を設置しても良い。
【００４６】
実施の形態３．
図４はこの発明の実施の形態３におけるエレベータシステムを示す構成図である。
本実施の形態では、かご２に、読取装置１７が設けられる。その他の構成は、図１及び図２に示す構成と同じである。
【００４７】
読取装置１７は、読取範囲１８に存在するタグ１０から識別情報を読み取る。読取範囲１８は、読取装置１７がタグ１０から情報を読み取ることができる範囲である。読取範囲１８は、例えば、かご２内に存在するタグ１０から情報を読み取ることができるように、予め設定される。
【００４８】
読取装置１７は、タグ１０が読取範囲１８に存在する場合に、そのタグ１０が有する識別情報を無線通信によって読み取る。読取装置１７は、タグ１０から識別情報を読み取ると、自機情報と読み取った識別情報とを制御装置１に出力する。自機情報とは、読取装置１７を個別に特定するための情報である。制御装置１は、読取装置１７から上記情報を受信することにより、読取装置１７がどのタグ１０から識別情報を読み取ったのかを特定することができる。即ち、制御装置１は、どのタグ１０の所有者がかご２内にいるのかを特定することができる。
【００４９】
検出部１１は、乗場４にいる正規利用者の数を検出する。検出部１１は、乗場４毎に、正規利用者の数を検出する。例えば、検出部１１は、読取装置８によって識別情報が読み取られたタグ１０の個数を、乗場４にいる正規利用者の数として検出する。検出部１１は、読取装置８から受信する情報に基づいて、一定の周期で上記検出を行う。
【００５０】
また、検出部１１は、かご２内にいる正規利用者の数を検出する。例えば、検出部１１は、読取装置１７によって識別情報が読み取られたタグ１０の個数を、かご２内にいる正規利用者の数として検出する。検出部１１は、読取装置１７から受信する情報に基づいて、一定の周期で上記検出を行う。
【００５１】
幅設定部１２は、検出部１１によって検出されたタグ１０の個数に基づいて、エレベータのドアの開放幅を設定する。即ち、幅設定部１２は、読取装置８によって識別情報が読み取られたタグ１０の個数と読取装置１７によって識別情報が読み取られたタグ１０の個数との双方に基づいて、上記設定を行う。
【００５２】
上記構成を有するエレベータ装置であれば、かご２から降りる人のことも考慮して、ドアの開放幅を適切に設定することができる。
【００５３】
実施の形態４．
図５はこの発明の実施の形態４におけるエレベータシステムを示す構成図である。
本実施の形態では、乗場４に、入力装置１６が設けられる。かご２に、読取装置１７及び入力装置１９が設けられる。その他の構成は、図１及び図２に示す構成と同じである。
【００５４】
入力装置１９は、かご２内で呼びを登録することができる人を、エレベータの正規利用者に制限するために備えられた装置である。入力装置１９は、呼び入力が行われると、呼びの登録要求を制御装置１に出力する。呼び登録部１４は、入力装置１９から呼びの登録要求を受信すると、受信した登録要求に基づいて行先呼びを登録する。即ち、一般の人は、入力装置１９に対して呼び入力を行うことができない。
【００５５】
入力装置１９の構成及び機能は、入力装置１６の構成及び機能と基本的に同じである。例えば、入力装置１９に対する呼び入力は、タグ１０を用いて行われる。
入力装置１９は、かご２内で呼びを登録することができる人をエレベータの正規利用者に制限するために、必ずしも必要になる装置ではない。読取装置１７を利用すれば、入力装置１９を使用せずにかご２内で呼び入力を行うこともできる。呼び入力を行うために、タグ１０を用いなくても良い。
【００５６】
検出部１１は、乗場４にいる正規利用者の数を検出する。検出部１１は、乗場４毎に、正規利用者の数を検出する。例えば、検出部１１は、読取装置８によって識別情報が読み取られたタグ１０の個数を、乗場４にいる正規利用者の数として検出する。検出部１１は、読取装置８から受信する情報に基づいて、一定の周期で上記検出を行う。
【００５７】
また、検出部１１は、かご２内にいる正規利用者の数を検出する。例えば、検出部１１は、読取装置１７によって識別情報が読み取られたタグ１０の個数を、かご２内にいる正規利用者の数として検出する。検出部１１は、読取装置１７から受信する情報に基づいて、一定の周期で上記検出を行う。
【００５８】
幅設定部１２は、以下の情報Ｉ乃至ＩＶに基づいて、エレベータのドアの開放幅を設定する。
Ｉ：読取装置８によって識別情報が読み取られたタグ１０の個数
ＩＩ：乗場４から登録された呼びの有無
ＩＩＩ：読取装置１７によって識別情報が読み取られたタグ１０の個数
ＩＶ：かご２内の人が乗場４に降りるための行先呼びの有無
【００５９】
ドアの開放幅の設定は、乗場４毎に行われる。例えば、幅設定部１２は、かご２が３階の乗場４に停止する場合、以下の情報Ｉ（３）乃至ＩＶ（３）に基づいて、エレベータのドアの開放幅を設定する。
Ｉ（３）：３階の乗場４に設置された読取装置８によって識別情報が読み取られたタグ１０の個数
ＩＩ（３）：３階の乗場４から登録された乗場呼びの有無
ＩＩＩ（３）：３階の乗場４にかご２が停止する時に、読取装置１７によって識別情報が読み取られたタグ１０の個数
ＩＶ（３）：かご２内の人が３階の乗場４に降りるための行先呼びの有無
【００６０】
幅設定部１２が開放幅を設定する上で必要な情報は、記憶部１３に記憶される。表３乃至表５に、記憶部１３に記憶された内容の例を示す。
【００６１】
【表３】
2014016906.tif 000005
【００６２】
【表４】
2014016906.tif 000006
【００６３】
表３及び表４は、幅設定部１２が、乗場４に存在するタグ１０の数を、実際に存在する数よりも少なく検出する場合の例を示している。これにより、正規利用者ではない人がかご２に乗ることを、より厳しく制限することができる。
【００６４】
例えば、検出部１１（又は、幅設定部１２）は、次式によってタグ１０の個数を検出する。
（タグ個数）＝α×（乗場のタグ個数）×（乗場呼びの有無）＋β×（かごのタグ個数）×（行先呼びの有無）    ・・・（１）
α、β：重み付け係数
乗場呼びの有無：「なし」の場合０、「あり」の場合１
行先呼びの有無：「なし」の場合０、「あり」の場合１
表３及び表４に示す内容は、式１において、α＝１／２、β＝１の場合を示している。重み付け係数α及びβの値は、ビルの仕様やエレベータの種類、設定するセキュリティレベル等に応じて適宜設定される。
【００６５】
【表５】
2014016906.tif 000007
【００６６】
表５は、幅設定部１２が、かご２に存在するタグ１０の数を、実際に存在する数よりも多く検出する場合の例を示している。これにより、利用者は、かご２からスムーズに降りることができる。表５に示す内容は、上記式１において、α＝１、β＝２の場合を示している。
【００６７】
上記構成を有するエレベータ装置であれば、かご２から降りる人のことも考慮して、ドアの開放幅を適切に設定することができる。また、ドアの開放幅を、実際にかご２に乗る人及びかご２から降りる人に合わせて、適切に設定することができる。
【００６８】
幅設定部１２は、上記情報ＩＶに替えて情報Ｖを考慮して、ドアの開放幅を設定しても良い。
Ｖ：登録されている行先呼びの個数
かかる場合、記憶部１３に、例えば、表６に示す内容が記憶される。
【００６９】
【表６】
2014016906.tif 000008
【００７０】
登録されている行先呼びの数が多い場合、かご２内にいる人の行先階が分散される。このため、同じ乗場４に降りる人の数は少なくなる。表６は、このような事情を考慮した場合の例である。表６の行先呼びの項目は、（かご２内のタグ１０の個数）から（登録されている行先呼びの個数−１）を引いた数を示している。
【００７１】
実施の形態５．
図６はこの発明の実施の形態５におけるエレベータシステムの要部を示す構成図である。制御装置１以外の構成は、実施の形態１乃至４の何れかで開示した構成と同じである。
【００７２】
本実施の形態では、制御装置１は、検出部１１、幅設定部１２、記憶部１３、呼び登録部１４、制御部１５の他に、時間設定部２０を備える。
【００７３】
時間設定部２０は、エレベータのドアの開放時間を設定する。エレベータのドアが開放動作を開始してから完全に閉まるまでの時間のことを開放時間という。エレベータのドアが最大に開いている時間のことを開放時間と呼んでも良い。この時、ドアは全開しなくても良い。
【００７４】
時間設定部２０は、検出部１１によって検出されたタグ１０の個数に基づいて、上記設定を行う。例えば、時間設定部２０は、読取装置８によって識別情報が読み取られたタグ１０の個数に基づいて、開放時間を設定する。時間設定部２０が開放時間を設定する上で必要な情報は、記憶部１３に記憶される。
【００７５】
【表７】
2014016906.tif 000009
【００７６】
表７は、記憶部１３に記憶された内容の一例を示している。各項目の具体的な値は、ビルの仕様やエレベータの種類に応じて適宜設定される。
【００７７】
制御部１５は、かご２が乗場４に停止すると、幅設定部１２によって設定された開放幅と時間設定部２０によって設定された開放時間との双方に基づいて、ドア制御装置６に制御信号を出力する。ドア制御装置６は、制御部１５から受信した制御信号に基づいて、ドアを開閉させる。
【００７８】
時間設定部２０は、読取装置８によって識別情報が読み取られたタグ１０の個数と乗場４から登録された呼びの有無との双方に基づいて、ドアの開放時間を設定しても良い。
【００７９】
【表８】
2014016906.tif 000010
【００８０】
表８は、記憶部１３に記憶された内容の一例を示している。各項目の具体的な値は、ビルの仕様やエレベータの種類に応じて適宜設定される。
【００８１】
かご２に読取装置１７が設けられている場合、時間設定部２０は、読取装置８によって識別情報が読み取られたタグ１０の個数と読取装置１７によって識別情報が読み取られたタグ１０の個数との双方に基づいて、開放時間の設定を行っても良い。
【００８２】
更に、時間設定部２０は、開放時間を設定する際に、かご２内の人が乗場４に降りるための行先呼びの有無を考慮しても良い。即ち、時間設定部２０は、上記情報Ｉ乃至ＩＶに基づいて、エレベータのドアの開放時間を設定する。表９乃至表１１に、記憶部１３に記憶された内容の例を示す。
【００８３】
【表９】
2014016906.tif 000011
【００８４】
【表１０】
2014016906.tif 000012
【００８５】
表９及び表１０は、時間設定部２０が、乗場４に存在するタグ１０の数を、実際に存在する数よりも少なく検出する場合の例を示している。これにより、正規利用者ではない人がかご２に乗ることを、より厳しく制限することができる。
表９及び表１０に示す内容は、上記式１において、α＝１／２、β＝１の場合を示している。重み付け係数α及びβの値は、ビルの仕様やエレベータの種類、設定するセキュリティレベル等に応じて適宜設定される。
【００８６】
【表１１】
2014016906.tif 000013
【００８７】
表１１は、時間設定部２０が、かご２に存在するタグ１０の数を、実際に存在する数よりも多く検出する場合の例を示している。これにより、利用者は、かご２からスムーズに降りることができる。表１１に示す内容は、上記式１において、α＝１、β＝２の場合を示している。
【００８８】
時間設定部２０は、上記情報ＩＶに替えて情報Ｖを考慮して、ドアの開放時間を設定しても良い。かかる場合、記憶部１３に、例えば、表１２に示す内容が記憶される。
【００８９】
【表１２】
2014016906.tif 000014
【００９０】
登録されている行先呼びの数が多い場合、かご２内にいる人の行先階が分散される。このため、同じ乗場４に降りる人の数は少なくなる。表１２は、このような事情を考慮した場合の例である。表１２の行先呼びの項目は、（かご２内のタグ１０の個数）から（登録されている行先呼びの個数−１）を引いた数を示している。
【００９１】
実施の形態６．
図７はこの発明の実施の形態６におけるエレベータシステムを示す構成図である。
本実施の形態では、かご２に、読取装置１７が設けられる。乗場４に、読取装置８は備えられていない。その他の構成は、図１及び図２に示す構成と同じである。
本実施の形態では、正規利用者ではない人がかご２に乗ることを常に厳しく制限する。
【００９２】
幅設定部１２は、読取装置１７によって識別情報が読み取られたタグ１０の個数に基づいて、エレベータのドアの開放幅を設定する。幅設定部１２は、かご２内にタグ１０が存在しない場合、乗場４にタグ１０が存在するか否かに関わらず、ドアの開放幅を一定の値（例えば、最小値）に設定する。かご２内にタグ１０が存在しない時にドアの開放幅が最小値に設定される場合、幅設定部１２は、かご２内にタグ１０が存在する時に、かご２内にタグ１０が存在しない時よりもドアが大きく開くようにドアの開放幅を設定する。
【００９３】
幅設定部１２は、読取装置１７によって識別情報が読み取られたタグ１０の個数と、乗場４から登録された呼びの有無と、かご２内の人が乗場４に降りるための行先呼びの有無とに基づいて、ドアの開放幅を設定しても良い。
【００９４】
【表１３】
2014016906.tif 000015
【００９５】
表１３は、記憶部１３に記憶された内容の一例を示している。各項目の具体的な値は、ビルの仕様やエレベータの種類、設定するセキュリティレベル等に応じて適宜設定される。
【００９６】
また、幅設定部１２は、読取装置１７によって識別情報が読み取られたタグ１０の個数と、乗場４から登録された呼びの有無と、登録されている行先呼びの個数とに基づいて、ドアの開放幅を設定しても良い。
【００９７】
制御装置１は、図６に示す構成を備えても良い。
時間設定部２０は、読取装置１７によって識別情報が読み取られたタグ１０の個数に基づいて、エレベータのドアの開放時間を設定する。時間設定部２０は、かご２内にタグ１０が存在しない場合、乗場４にタグ１０が存在するか否かに関わらず、ドアの開放時間を一定の値（例えば、最小値）に設定する。かご２内にタグ１０が存在しない時にドアの開放時間が最小値に設定される場合、時間設定部２０は、かご２内にタグ１０が存在する時に、かご２内にタグ１０が存在しない時よりもドアが長く開放するようにドアの開放時間を設定する。
【００９８】
時間設定部２０は、読取装置１７によって識別情報が読み取られたタグ１０の個数と、乗場４から登録された呼びの有無と、かご２内の人が乗場４に降りるための行先呼びの有無とに基づいて、ドアの開放時間を設定しても良い。
【００９９】
【表１４】
2014016906.tif 000016
【０１００】
表１４は、記憶部１３に記憶された内容の一例を示している。各項目の具体的な値は、ビルの仕様やエレベータの種類、設定するセキュリティレベル等に応じて適宜設定される。
【０１０１】
上記構成を有するエレベータ装置であっても、利便性を損なうことなく、正規利用者ではない人によってエレベータが利用されることを防止することができる。
【０１０２】
本実施の形態では、乗場４からの呼びの登録方法は、如何なる方法であっても構わない。乗場４に、入力装置１６を設置しても良い。また、かご２に入力装置１９を設置しても良い。
【産業上の利用可能性】
【０１０３】
この発明は、エレベータの利用が特定の人に制限されたシステムに適用することができる。
【符号の説明】
【０１０４】
１  制御装置
２  かご
３  昇降路
４  乗場
５  かごドア
６  ドア制御装置
７  乗場ドア
８、１７  読取装置
９、１８  読取範囲
１０  タグ
１１  検出部
１２  幅設定部
１３  記憶部
１４  呼び登録部
１５  制御部
１６、１９  入力装置
２０  時間設定部
【図１】
2014016906.tif 000017
【図２】
2014016906.tif 000018
【図３】
2014016906.tif 000019
【図４】
2014016906.tif 000020
【図５】
2014016906.tif 000021
【図６】
2014016906.tif 000022
【図７】
2014016906.tif 000023
【手続補正書】
【提出日】平成26年7月15日(2014.7.15)
【手続補正１】
【補正対象書類名】特許請求の範囲
【補正対象項目名】全文
【補正方法】変更
【補正の内容】
【特許請求の範囲】
【請求項１】
エレベータの乗場に設けられ、情報記録媒体が有する識別情報を読み取る第１読取装置と、
呼びを登録することができる人を、前記第１読取装置が識別情報を読み取り可能な情報記録媒体の所有者に制限するための呼び登録部と、
前記第１読取装置によって識別情報が読み取られた情報記録媒体の個数と前記乗場から登録された呼びの有無とに基づいて、エレベータのドアの開放幅を設定する幅設定部と、
エレベータのかごが前記乗場に停止した際に、前記幅設定部によって設定された開放幅に基づいて、前記ドアを開放させる制御部と、
を備えたエレベータシステム。
【請求項２】
前記乗場に設けられ、前記第１読取装置が識別情報を読み取り可能な情報記録媒体を用いて呼び入力が行われると、呼びの登録要求を出力する第１入力装置と、
を更に備え、
前記呼び登録部は、前記第１入力装置からの登録要求に基づいて、呼びを登録する請求項１に記載のエレベータシステム。
【請求項３】
前記かごに設けられ、情報記録媒体が有する識別情報を読み取る第２読取装置と、
を更に備え、
前記幅設定部は、前記第１読取装置によって識別情報が読み取られた情報記録媒体の個数と、前記乗場から登録された呼びの有無と、前記第２読取装置によって識別情報が読み取られた情報記録媒体の個数と、前記かご内の人が前記乗場に降りるための呼びの有無とに基づいて、前記ドアの開放幅を設定する請求項１に記載のエレベータシステム。
【請求項４】
前記かごに設けられ、情報記録媒体が有する識別情報を読み取る第２読取装置と、
を更に備え、
前記幅設定部は、前記第１読取装置によって識別情報が読み取られた情報記録媒体の個数と、前記乗場から登録された呼びの有無と、前記第２読取装置によって識別情報が読み取られた情報記録媒体の個数と、登録されている行先呼びの個数とに基づいて、前記ドアの開放幅を設定する請求項１に記載のエレベータシステム。
【請求項５】
前記かごに設けられ、前記第２読取装置が識別情報を読み取り可能な情報記録媒体を用いて呼び入力が行われると、呼びの登録要求を出力する第２入力装置と、
を更に備え、
前記呼び登録部は、前記第２入力装置からの登録要求に基づいて、呼びを登録する請求項３又は請求項４に記載のエレベータシステム。
【請求項６】
前記第１読取装置によって識別情報が読み取られた情報記録媒体の個数に基づいて、前記ドアの開放時間を設定する時間設定部と、
を更に備え、
前記制御部は、前記かごが前記乗場に停止した際に、前記幅設定部によって設定された開放幅と前記時間設定部によって設定された開放時間とに基づいて、前記ドアを開放させる請求項１又は請求項２に記載のエレベータシステム。
【請求項７】
前記第１読取装置によって識別情報が読み取られた情報記録媒体の個数と前記第２読取装置によって識別情報が読み取られた情報記録媒体の個数とに基づいて、前記ドアの開放時間を設定する時間設定部と、
を更に備え、
前記制御部は、前記かごが前記乗場に停止した際に、前記幅設定部によって設定された開放幅と前記時間設定部によって設定された開放時間とに基づいて、前記ドアを開放させる請求項３から請求項５の何れか一項に記載のエレベータシステム。
【請求項８】
エレベータのかごに設けられ、情報記録媒体が有する識別情報を読み取る第２読取装置と、
呼びを登録することができる人を、前記第２読取装置が識別情報を読み取り可能な情報記録媒体の所有者に制限するための呼び登録部と、
前記第２読取装置によって識別情報が読み取られた情報記録媒体の個数と前記かご内の人が乗場に降りるための呼びの有無とに基づいて、エレベータのドアの開放幅を設定する幅設定部と、
エレベータのかごが前記乗場に停止した際に、前記幅設定部によって設定された開放幅に基づいて、前記ドアを開放させる制御部と、
を備えたエレベータシステム。
【請求項９】
前記乗場に設けられ、前記第２読取装置が識別情報を読み取り可能な情報記録媒体を用いて呼び入力が行われると、呼びの登録要求を出力する第１入力装置と、
を更に備え、
前記呼び登録部は、前記第１入力装置からの登録要求に基づいて、呼びを登録する請求項８に記載のエレベータシステム。
【請求項１０】
前記幅設定部は、前記かご内の人が乗場に降りるための呼びが存在しない場合、前記ドアの開放幅を最小値に設定する請求項８に記載のエレベータシステム。
【請求項１１】
前記第２読取装置によって識別情報が読み取られた情報記録媒体の個数と前記かご内の人が前記乗場に降りるための呼びの有無とに基づいて、前記ドアの開放時間を設定する時間設定部と、
を更に備え、
前記制御部は、前記かごが前記乗場に停止した際に、前記幅設定部によって設定された開放幅と前記時間設定部によって設定された開放時間とに基づいて、前記ドアを開放させる請求項８から請求項１０の何れか一項に記載のエレベータシステム。
【請求項１２】
前記時間設定部は、前記かご内の人が前記乗場に降りるための呼びが存在しない場合、前記ドアの開放時間を最小値に設定する請求項１１に記載のエレベータシステム。
【手続補正２】
【補正対象書類名】明細書
【補正対象項目名】０００９
【補正方法】変更
【補正の内容】
【０００９】
この発明に係るエレベータシステムは、エレベータの乗場に設けられ、情報記録媒体が有する識別情報を読み取る第１読取装置と、呼びを登録することができる人を、第１読取装置が識別情報を読み取り可能な情報記録媒体の所有者に制限するための呼び登録部と、第１読取装置によって識別情報が読み取られた情報記録媒体の個数と乗場から登録された呼びの有無とに基づいて、エレベータのドアの開放幅を設定する幅設定部と、エレベータのかごが乗場に停止した際に、幅設定部によって設定された開放幅に基づいて、ドアを開放させる制御部と、を備えたものである。
【手続補正３】
【補正対象書類名】明細書
【補正対象項目名】００１０
【補正方法】変更
【補正の内容】
【００１０】
また、この発明に係るエレベータシステムは、エレベータのかごに設けられ、情報記録媒体が有する識別情報を読み取る第２読取装置と、呼びを登録することができる人を、第２読取装置が識別情報を読み取り可能な情報記録媒体の所有者に制限するための呼び登録部と、第２読取装置によって識別情報が読み取られた情報記録媒体の個数とかご内の人が乗場に降りるための呼びの有無とに基づいて、エレベータのドアの開放幅を設定する幅設定部と、エレベータのかごが乗場に停止した際に、幅設定部によって設定された開放幅に基づいて、ドアを開放させる制御部と、を備えたものである。
【手続補正書】
【提出日】平成27年7月16日(2015.7.16)
【手続補正１】
【補正対象書類名】特許請求の範囲
【補正対象項目名】全文
【補正方法】変更
【補正の内容】
【特許請求の範囲】
【請求項１】
エレベータの乗場に設けられ、情報記録媒体が有する識別情報を読み取る第１読取装置と、
エレベータのかごに設けられ、情報記録媒体が有する識別情報を読み取る第２読取装置と、
呼びを登録することができる人を、前記第１読取装置及び前記第２読取装置が識別情報を読み取り可能な情報記録媒体の所有者に制限するための呼び登録部と、
エレベータのドアの開放幅を設定する幅設定部と、
前記かごが前記乗場に停止した際に、前記幅設定部によって設定された開放幅に基づいて、前記ドアを開放させる制御部と、
を備え、
前記幅設定部は、重み付け係数をα及びβとし、前記乗場から登録された呼びがある場合にＡ＝１、ない場合にＡ＝０とし、前記かご内の人が前記乗場に降りるための呼びがある場合にＢ＝１、ない場合にＢ＝０とした場合に、（タグ個数）＝α×（前記第１読取装置によって識別情報が読み取られた情報記録媒体の個数）×Ａ＋β×（前記乗場に前記かごが停止する時に前記第２読取装置によって識別情報が読み取られた情報記録媒体の個数）×Ｂによって求めたタグ個数と前記乗場から登録された呼びの有無と前記かご内の人が前記乗場に降りるための呼びの有無とに基づいて前記ドアの開放幅を設定するエレベータシステム。
【請求項２】
前記乗場に設けられ、前記第１読取装置が識別情報を読み取り可能な情報記録媒体を用いて呼び入力が行われると、呼びの登録要求を出力する第１入力装置と、
を更に備え、
前記呼び登録部は、前記第１入力装置からの登録要求に基づいて、呼びを登録する請求項１に記載のエレベータシステム。
【請求項３】
前記かごに設けられ、前記第２読取装置が識別情報を読み取り可能な情報記録媒体を用いて呼び入力が行われると、呼びの登録要求を出力する第２入力装置と、
を更に備え、
前記呼び登録部は、前記第２入力装置からの登録要求に基づいて、呼びを登録する請求項１又は請求項２に記載のエレベータシステム。
【請求項４】
前記第１読取装置によって識別情報が読み取られた情報記録媒体の個数と前記第２読取装置によって識別情報が読み取られた情報記録媒体の個数とに基づいて、前記ドアの開放時間を設定する時間設定部と、
を更に備え、
前記制御部は、前記かごが前記乗場に停止した際に、前記幅設定部によって設定された開放幅と前記時間設定部によって設定された開放時間とに基づいて、前記ドアを開放させる請求項１から請求項３の何れか一項に記載のエレベータシステム。
【手続補正２】
【補正対象書類名】明細書
【補正対象項目名】０００９
【補正方法】変更
【補正の内容】
【０００９】
この発明に係るエレベータシステムは、エレベータの乗場に設けられ、情報記録媒体が有する識別情報を読み取る第１読取装置と、エレベータのかごに設けられ、情報記録媒体が有する識別情報を読み取る第２読取装置と、呼びを登録することができる人を、第１読取装置及び第２読取装置が識別情報を読み取り可能な情報記録媒体の所有者に制限するための呼び登録部と、エレベータのドアの開放幅を設定する幅設定部と、かごが乗場に停止した際に、幅設定部によって設定された開放幅に基づいて、ドアを開放させる制御部と、を備え、幅設定部は、重み付け係数をα及びβとし、乗場から登録された呼びがある場合にＡ＝１、ない場合にＡ＝０とし、かご内の人が乗場に降りるための呼びがある場合にＢ＝１、ない場合にＢ＝０とした場合に、（タグ個数）＝α×（第１読取装置によって識別情報が読み取られた情報記録媒体の個数）×Ａ＋β×（乗場にかごが停止する時に第２読取装置によって識別情報が読み取られた情報記録媒体の個数）×Ｂによって求めたタグ個数と乗場から登録された呼びの有無とかご内の人が乗場に降りるための呼びの有無とに基づいてドアの開放幅を設定するものである。
【手続補正３】
【補正対象書類名】明細書
【補正対象項目名】００１０
【補正方法】削除
【補正の内容】
【国際調査報告】
2014016906.tif 000024
2014016906.tif 000025
2014016906.tif 000026
2014016906.tif 000027